(57)【要約】【課題】小型で熱交換器の熱交換効率を常に維持するファンモータを制御することができる空気調和装置の室外機を提供する。【解決手段】本空気調和装置の室外機は、キャビネットの背面開口の略全体を平面状の室外熱交換器で閉塞するとともに、熱交換器室には室外熱交換器の前面中央近傍に対向してプロペラファン及び回転速度を可変可能な直流駆動のファンモータを収容する。【選択図】  図１
2006258326.tif 000002
【特許請求の範囲】
【請求項１】
筐体の前面及び左右側面部を構成する略コ字状に折曲された側面キャビネットと、筐体の上部開口を閉塞し上面部を構成する天板と、筐体の底面部を構成する底板で筐体が形成されてなる空気調和装置の室外機において、
この筐体内は、前記底板上を仕切板によって熱交換器室と機械室に区画して、前記熱交換室には背面側に前記筐体の背面開口の略全体を閉塞する平面状の室外熱交換器を設置すると共に前記室外熱交換器の前面側中央近傍にプロペラファン及び回転速度を可変可能な直流駆動のファンモータを設置し、前記機械室にはコンプレッサ、絞り装置などの要素部品を収容すると共に、前記機械室の上部に前記ファンモータ及びコンプレッサの回転数を制御する電気制御部品などを納めた電気部品箱を設置してなり、
前記側面キャビネットは、前面に吹出口を開口すると共に吹出口の周囲にベルマウスを一体形成し、左右側面部の両先端を背面側に曲げて前記室外熱交換器の左右端の外側を覆う構成とし、底板に前面及び左右側面のみをネジ固定して取り付けるように構成したことを特徴とする空気調和装置の室外機。
【発明の詳細な説明】
【技術分野】
【０００１】
本発明は空気調和装置の室外機に係り、特に筐体の構造を改良した空気調和装置の室外機に関する。
【背景技術】
【０００２】
従来の空気調和装置の室外機は、上部開口、背面開口及び底部開口が形成されるように筐体の前面及び左右側面を構成するコ字状に折曲され一側面に空気吸込口が設けられた側面キャビネットと、筐体の上部開口を閉塞し上面部を構成する天板と、背面開口を閉塞し背面空気吸込口が設けられた背面板と、筐体の底板部を下部開口を閉塞する底板で筐体を形成し、この筐体内に背面板と離間してＬ字形状に折曲する熱交換器を配置し、さらに、交流駆動のファンモータ、コンプレッサ及び電気部品箱などを収容する室外機が提案されている（特許文献１、２）。
【０００３】
この室外機はＬ字形状の熱交換器により室外機の側面空気吸込口と背面吸込口の２面で空気を吸い込むように構成するので、通風抵抗を小さくすることが出来るが、筐体の側面空気吸込口に対向して配置されるため、筐体が大型になって室外機が大型になる問題があり、また、逆に吸込部が大きいため外の風の影響を受けやすく、熱交換器の熱交換量を常に最適に維持することが難しかった。さらに、ファンモータに交流駆動のものを用いているので、熱交換器周辺の風量温度などの状態変化に風量調整が細かく出来ないため、電動膨張弁で絞り量を調整するなどして付加に対応していた。
【０００４】
また、外部の風の影響などを最小限に抑える目的で、吸込部分を背面のみとして平面状の熱交換器を用いると、室外機内の通風抵抗が大きくなり、熱交換器の熱交換効率を常に維持するようにファンモータを細かく制御することは難しかった。
【特許文献１】特開平３−９９１３３号公報
【特許文献２】特開２００１−９９４４８号公報
【発明の開示】
【発明が解決しようとする課題】
【０００５】
本発明は上述した事情を考慮してなされたもので、筐体構造を小型化できる上熱交換器の熱交換効率を常に維持することができる空気調和装置の室外機を提供することを目的とする。
【課題を解決するための手段】
【０００６】
上述した目的を達成するため、本発明に係る空気調和装置の室外機は、筐体の前面及び左右側面部を構成する略コ字状に折曲された側面キャビネットと、筐体の上部開口を閉塞し上面部を構成する天板と、筐体の底面部を構成する底板で筐体が形成されてなる空気調和装置の室外機において、この筐体内は、前記底板上を仕切板によって熱交換器室と機械室に区画して、前記熱交換室には背面側に前記筐体の背面開口の略全体を閉塞する平面状の室外熱交換器を設置すると共に前記室外熱交換器の前面側中央近傍プロペラファン及び回転速度を可変可能な直流駆動のファンモータを設置し前記機械室にはコンプレッサ、絞り装置などの要素部品を収容すると共に、前記機械室の上部に前記ファンモータ及びコンプレッサの回転数を制御する電気制御部品などを納めた電気部品箱を設置してなり、前記側面キャビネットは、前面に吹出口を開口すると共に吹出口の周囲にベルマウスを一体形成し、左右側面部の両先端を背面側に曲げて前記室外熱交換器の左右端の外側を覆う構成とし、底板に前面及び左右側面のみをネジ固定して取り付けるように構成したことを特徴とする。
【発明の効果】
【０００７】
本発明に係る空気調和装置の室外機によれば、小型で熱交換器の熱交換効率を常に維持することができる空気調和装置の室外機を提供することができる。
【発明を実施するための最良の形態】
【０００８】
以下、本発明に係る空気調和装置の室外機の一実施形態について添付図面を参照して説明する。
【０００９】
図１は本発明に係る空気調和装置の室外機の前面側斜視図、図２はその背面側斜視図、図３はその分解斜視図である。
【００１０】
図１乃至図３に示すように、本実施形態の空気調和機の室外機１において筐体２は空気吹出口３が設けられ前面及び左右側面部を構成する略コ字状に折曲された側面キャビネット４と、側面キャビネット４の上部に形成された上部開口５を閉塞し上面部を構成する天板６と、底面部を構成する底板１０で形成されている。
【００１１】
また、筐体２内は弧状に曲げられた仕切板１１によって、熱交換室１２と機械室１３に区画されている。
【００１２】
熱交換室１２には複数枚のアルミフィン８ａに冷媒パイプ（伝熱管）８ｂが貫通してなる平面形状の室外熱交換器８が、筐体２の背面開口７の略全体を閉塞するように底板１０の背面側に設置され、さらに、熱交換室１２の中央付近にモータ支持ベース１４に取り付けられたプロペラファン１５及び回転速度を可変可能な直流駆動のファンモータ１６が設置されている。
【００１３】
室外熱交換器を平面形状に形成するのは、キャビネットの幅方向を縮小することができ、折曲げなどの加工が不要であり、さらに、筐体の吸込口を背面のみにすることで、外の風の影響による室外機内部の温度風量の変化を最小限に抑えるためである。
【００１４】
また、直流駆動のファンモータを用いるのは、従来の単相交流モータに比べて、電子制御によりその回転制御が細かく行なえ、機内の風量変化、風圧の上昇に対応できるからである。
【００１５】
また、図４、図５は、本発明に係る空気調和装置の室外機に用いられる側面キャビネットの前面側斜視図および背面側斜視図である。
【００１６】
図４および図５に示すように、筐体２の主要部をなす側面キャビネット４には、前面４ａに空気吹出口３が開口し、この空気吹出口３の周囲にベルマウス４ｂが一体に形成され、コ字状の左側面部４ｃ、右側面部４ｄの背面側の両先端が内側（背面開口側）に折曲げられて左側折曲部４ｃ１、右側折曲部４ｄ１が形成され、この両折曲部４ｃ１、４ｄ１により室外熱交換器８の左右端板部の外側を覆うように構成している。さらに、側面キャビネット４は、底板１０と側面キャビネット４の前面４ａ及び左右側面４ｃ、４ｄのみをネジ固定するようになっており、背面側に折曲げられた左側折曲部４ｃ１および右側折曲部４ｄ１はねじ止め部を形成しない構成としている。また、右側面４ｅは機械室１３の側面をなし、その中央部分には室内機側との電気配線端子（コネクタ）取付部４ｄ２が内側に傾斜して一体に形成され、その下部には配管接続バルブを延出させる開口部４ｄ３が形成されている。
【００１７】
このように、側面キャビネット４は、ベルマウス４ｂが一体に形成されるとともに、左右側面部４ｃ、４ｄが設けられ、室外熱交換器８の左右端板外側を覆うようにしたので、熱交換器の面（背面）を除く側面全体を１枚の金属板を折曲加工して形成でき、別個の側面部を組立てるものに比べ、継目がない分、材料歩留、作業性が向上し、さらに、底板への取付けの作業性も向上する。
【００１８】
さらに、側面キャビネット４の底板１０への取付けは、前面４ａと左右側面４ｄ、４ｅを側面キャビネット４の下端縁４ｅの数箇所をネジ固定し、背面側はネジ固定しない。このようにするのは、室外機設置時、背面側は住宅に近接して据付けられる場合が多いため、室外機を住宅の壁に近接して取付けた場合でも、後面側にネジ固定部分を設けないため、点検修理などのサービスの際、一体とした側面キャビネット４の取外しを容易にするためである。
【００１９】
また、側面キャビネット４の製造は、平板状の金属板を平板状のままプレス成型で空気吹出口３を打抜き、周縁にベルマウス４ｂを絞り成型で内側に延出させ、また電気配線端子取付部４ｄ２、配管接続バルブを延出させる開口部４ｄ３などの打抜き、折曲げなどの成型を行い、これを平板状の状態で室外機の製造ラインに移動して積重ねておき、室外機の組立て製造工程において、前面４ａに対する左右側面４ｃ、４ｄの曲げ角度を左右ともに９０度以上の鈍角で成形する。このため、前面４ａに対し左右側面４ｄ、４ｅが外側に若干開いた状態で室外機に装着される。
【００２０】
このため、側面キャビネット４をコンプレッサ１７、室外熱交換器８、プロペラファン１５などの部品が搭載された底板１０上に組み込む際、左右の側面部４ｃ、４ｄの前方が開き気味で挿入できるため、装填作業が容易に行なえ、側面キャビネット４を奥まで挿入した後、開き気味の左右の側面部４ｃ、４ｄは内側に押し込むようにして、底板１０に接合し、底板１０の前面と側面部をネジ止め固定することで組み立てが行なえる。
【００２１】
一方、機械室１３には室外熱交換器８の前面端部側に設置されたコンプレッサ１７、絞り装置としてのキャピラリチューブ（図示せず）などの要素部品と、その上部に直流駆動のファンモータ１６及びコンプレッサ１７の回転数を制御する電気制御部品などを納めた電気部品箱１８が収容されている。
【００２２】
なお、図中符号３ａは、吹出口３の開口前面部に取り付けられる吹出グリルであり、また符号１９は室外機右側面部の電気配線端子取付部４ｄ２および配管接続バルブ開口部４ｄ３を覆うパックドバルブカバーであり、符号２０は室外熱交換器８の外側表面に装着され、合成樹脂で格子状に通気孔が形成されたフィンガードである。
【００２３】
上述のような構造を有する本空気調和装置の室外機１は、背面開口７を閉塞するように室外熱交換器８が平面状に形成され、側面側に室外熱交換器が配されていないので、幅方向を縮小することができて、キャビネットを小型化でき、さらに、折曲げなどの加工が不要であり、製造性が向上し、信頼性も向上する。
【００２４】
また、室外熱交換器が平面形状で背面部のみで室外空気を吸込むため、Ｌ字状熱交換器のものに比べ通風抵抗が増加するが、室外機の運転条件により、ＩＣを使用したドライブ回路によりファンモータの速度を細かく制御可能な直流駆動のモータを用いることで、室外熱交換器を常に効率の良い状態で熱交換できる風量に制御することで対応できる。
【００２５】
また、直流駆動のモータを用いることにより、絞り量固定のキャピラリチューブであっても絞り量の調整を必要とせずに平面状の室外熱交換器を常に最適状態で熱交換できるよう風量を制御することで、膨張弁に比べ、可動部分がなく安価なキャピラリチューブを使うことが可能となり、製品の信頼性と製造コストを大幅に低減できる。
【００２６】
上述のように本実施形態に係る空気調和装置の室外機によれば、背面のみの平面状の室外熱交換器と回転速度を可変可能な直流駆動のファンモータを用いることで、ファンの風量を細かく制御して熱交換器の熱交換効率を常に維持することができる小形で信頼性の高い空気調和装置の室外機が実現される。
【図面の簡単な説明】
【００２７】
【図１】本発明の一実施形態に係る空気調和装置の室外機の前面側斜視図。
【図２】本発明の一実施形態に係る空気調和装置の室外機の背面側斜視図。
【図３】本発明の一実施形態に係る空気調和装置の室外機の分解斜視図。
【図４】本発明の一実施形態に係る空気調和装置の室外機に用いられる側面キャビネットの前面側斜視図。
【図５】本発明の一実施形態に係る空気調和装置の室外機に用いられる側面キャビネットの背面側斜視図。
【符号の説明】
【００２８】
１…空気調和機の室外機、２…筐体、３…空気吹出口、４…側面キャビネット、４ａ…前面、４ｂ…ベルマウス、４ｃ…左側面部、４ｃ１…左側折曲部、４ｄ…、右側面部４ｄ１…右側折曲部、５…上部開口、６…天板、７…背面開口、８…室外熱交換器、９…下部開口、１０…底板、１１…仕切板、１２…熱交換室、１３…機械室、１５…プロペラファン、１６…ファンモータ、１７…コンプレッサ、１８…電気部品箱。
【図１】
2006258326.tif 000003
【図２】
2006258326.tif 000004
【図３】
2006258326.tif 000005
【図４】
2006258326.tif 000006
【図５】
2006258326.tif 000007